(57)【要約】【課題】本発明は、上記の従来の洗浄方法の問題点に鑑み成されたものであって、容器内への内容物の充填後の容器口部へのキャップの装着工程を大幅に変更することなく安価に実施可能で、しかもキャップと容器口部との間の隙間を加熱殺菌する工程に併せて実施することにより、キャップと容器口部との間の隙間が、より効果的に洗浄された中味入り容器の製造を可能にする方法を提供する。【解決手段】本発明による、口部にキャップが装着された中味入り容器の製造方法は、口部への装着前にキャップｃの内面を清浄な液体でぬらし、内面がぬれた前記キャップを容器口部ｍに装着する、ことに特徴を有する。【選択図】図６
2007191184.tif 000002
【特許請求の範囲】
【請求項１】
内部に中味液が充填され口部にキャップが装着された中味入り容器の製造方法において、
前記口部への装着前に前記キャップの内部を清浄な液体でぬらし、
前記内面がぬれた前記キャップを前記容器の口部に装着する、
ことを特徴とする中味入り容器の製造方法。
【請求項２】
内部に中味液が充填され口部にキャップが装着された中味入り容器の製造方法において、
前記口部への装着前に前記キャップの内部を清浄な液体でぬらし、
前記内面がぬれた前記キャップを前記容器の口部に装着した後前記キャップと前記口部との間の隙間に洗浄液を注入する、
ことを特徴とする中味入り容器の製造方法。
【請求項３】
請求項２に記載の中味液入り容器の製造方法において、
前記口部と前記キャップとの間の隙間への洗浄液の注入を前記キャップの頂部近傍に形成されたスリットを介して洗浄液を注入する、
ことを特徴とする中味入り容器の製造方法。
【請求項４】
請求項２に記載の中味液入り容器の製造方法において、
前記口部と前記キャップとの間の隙間への洗浄液の注入を前記キャップの開口端に近い位置に形成されたスリットを介して行う、
ことを特徴とする中味入り容器の製造方法。
【請求項５】
請求項２に記載の中味液入り容器の製造方法において、
前記口部と前記キャップとの間の隙間への洗浄液の注入を前記キャップの下端と前記口部のネックサポート部の上面との間に形成される隙間を介して行う、
ことを特徴とする中味入り容器の製造方法。
【請求項６】
請求項１ないし５のいずれかに記載の中味入り容器の製造方法において、
前記キャップ内面を清浄な液体でぬらすことを、キャップがキャッパーのキャップ装着アタッチメントにより保持されている間にキャップ内面に清浄な液体を噴霧することにより行うことを特徴とする中味入り容器の製造方法。
【請求項７】
請求項１ないし５のいずれかに記載の中味入り容器の製造方法において、前記キャップ内面を清浄な液体でぬらすことを、キャップがキャッパーに供給される前にキャップ内面に清浄な液体を噴霧することにより行う、ことを特徴とする中味入り容器の製造方法。
【請求項８】
請求項１ないし７のいずれかに記載の中味入り容器の製造方法において、前記清浄な液体が無菌水である中味入り容器の製造方法。
【請求項９】
請求項１ないし８のいずれかに記載の中味入り容器の製造方法において、前記清浄な液体が加熱されていることを特徴とする中味入り容器の製造方法。
【請求項１０】
請求項１ないし９のいずれかに記載の中味入り容器の製造方法において、更に、
前記キャップの内面と前記口部の外面との間の隙間に存在する液体を前記隙間に圧縮空気を注入することにより排出する、
ことを特徴とする中味入り容器の製造方法。
【請求項１１】
内部に中味液が充填され口部にキャップが装着された中味入り容器の洗浄方法において、
前記口部への装着前に前記キャップの内部を清浄な液体でぬらし、
前記内面がぬれた前記キャップを前記容器の口部に装着した後前記キャップと前記口部との間の隙間に洗浄液を注入する、
ことを特徴とする中味入り容器の洗浄方法。
【請求項１２】
請求項１１に記載の中味入り容器の洗浄方法により洗浄された中味入り容器。
【発明の詳細な説明】
【技術分野】
【０００１】
本発明は中味入り容器の製造方法に関し、詳細には、容器内に中味液等の内容物を充填した後容器の口部にキャップを装着し、口部とキャップとの隙間を洗浄した中味入り容器の製造方法、中味入り容器の洗浄方法及び中味入り容器に関する。
【背景技術】
【０００２】
容器内に飲料等の内容物を充填して容器の口部にキャップを装着した後キャップ付きになった容器の口部を洗浄する方法が、例えば下記特許文献１及び２に示されるように、種々提案されている。このうち特許文献１に記載された方法は、容器の口部すなわち瓶口に装着する蓋すなわちキャップの周壁部に、その周壁部と一体的に形成されたキャップの頂板部近くに多数の小孔を周方向に隔てて形成し、その小孔を介して瓶口とキャップの周壁部との間の隙間内に洗浄液を注入して洗浄するものである。また、特許文献２に記載された方法は、容器口部の外周部に形成されたネジ山部又はこれと螺合するキャップのネジ山部の少なくとも一方に縦方向複数箇所にベントスリットを形成し、容器内に内溶液を充填した後容器口部にキャップを被着し、キャップの下端と容器のネックサポート部との間隙に圧力洗浄水を注入するものである。
【０００３】
【特許文献１】特開平５−６５１５１号公報
【特許文献２】特許第２９４４９９４号公報
【発明の開示】
【発明が解決しようとする課題】
【０００４】
しかしながら、上記特許文献１に記載の方法では、茶渋のような洗浄しずらい汚れ等の洗浄が困難で、洗浄時間が長くなる問題がある。すなわち、口部洗浄処理後においても、図１に示されるような容器ｖの口部ｍと、その口部ｍに装着されたキャップｃとの隙間ｇであって口部ｍの付け根部分に形成された冠状の係止凸部ｐと係合するキャップ開口端（図１において下端）のフィンｆの部分の内側に洗浄済みの液が溜まり、容器が乾燥すると共に溜まっていた液中に含まれていた中味液の成分が、図２に示されるように、容器口部ｍの周囲の下部領域（キャップｃのフィンｆに隣接する部分）ｒに付着してしまうことになる。このため、中味液がお茶の場合には茶渋が、また果汁の場合には果汁の成分がその部分に付着してしまうことになる。
また、特許文献２に記載の方法では、キャップに小孔を形成する必要がない代わりに容器の口部にベントスリットを形成する必要があるため、従来の容器をそのまま使用して行えない問題がある。しかもこの特許文献２に記載の方法でも、上記中味液の成分の付着の問題を完全に解決することが困難である。
【０００５】
本発明は、上記の従来の洗浄方法の問題点に鑑み成されたものであって、容器内への内容物の充填後の容器口部へのキャップの装着工程（キャッピング工程）を大幅に変更することなく安価に実施可能で、しかもキャップと容器口部との間の隙間を加熱殺菌する工程（パストクーラー工程若しくはパストライザー工程）に併せて実施することにより、キャップと容器口部との間の隙間が、より効果的に洗浄された中味入り容器の製造を可能にする方法を提供することを、目的とする。
【課題を解決するための手段】
【０００６】
本願の請求項１に記載の発明によれば、内部に中味液が充填され口部にキャップが装着された中味入り容器の製造方法において、
前記口部への装着前に前記キャップの内部を清浄な液体でぬらし、
前記内面がぬれた前記キャップを前記容器の口部に装着する、ことを特徴とする中味入り容器の製造方法が提供される。
本願の請求項２に記載の発明によれば、内部に中味液が充填され口部にキャップが装着された中味入り容器の製造方法において、
前記口部への装着前に前記キャップの内部を清浄な液体でぬらし、
前記内面がぬれた前記キャップを前記容器の口部に装着した後前記キャップと前記口部との間の隙間に洗浄液を注入する、ことを特徴とする中味入り容器の製造方法が提供される。
本願の請求項３に記載の発明によれば、請求項２に記載の中味液入り容器の製造方法において、前記口部と前記キャップとの間の隙間への洗浄液の注入を前記キャップの頂部近傍に周方向に隔てて形成されたスリットを介して洗浄液を注入する、ことを特徴とする中味入り容器の製造方法が提供される。
本願の請求項４に記載の発明によれば、請求項２に記載の中味液入り容器の製造方法において、前記口部と前記キャップとの間の隙間への洗浄液の注入を前記キャップの開口端に近い位置に形成されたスリットを介して行う、ことを特徴とする中味入り容器の製造方法が提供される。
本願の請求項５に記載の発明によれば、請求項２に記載の中味液入り容器の製造方法において、前記口部と前記キャップとの間の隙間への洗浄液の注入を前記キャップの下端と前記口部のネックサポート部の上面との間に形成される隙間を介して行う、ことを特徴とする中味入り容器の製造方法が提供される。
本願の請求項６に記載の発明によれば、請求項１ないし５のいずれかに記載の中味入り容器の製造方法において、前記キャップ内面を清浄な液体でぬらすことを、キャップがキャッパーのキャップ装着アタッチメントにより保持されている間にキャップ内面に清浄な液体を噴霧することにより行うことを特徴とする中味入り容器の製造方法が提供される。
本願の請求項７に記載の発明によれば、請求項１ないし５のいずれかに記載の中味入り容器の製造方法において、前記キャップ内面を清浄な液体でぬらすことを、キャップがキャッパーに供給される前にキャップ内面に清浄な液体を噴霧することにより行う、ことを特徴とする中味入り容器の製造方法が提供される。
本願の請求項８に記載の発明によれば、請求項１ないし７のいずれかに記載の中味入り容器の製造方法において、前記清浄な液体が無菌水である中味入り容器の製造方法が提供される。
本願の請求項９に記載の発明によれば、請求項１ないし８のいずれかに記載の中味入り容器の製造方法において、前記清浄な液体が加熱されていることを特徴とする中味入り容器の製造方法が提供される。
本願の請求項１０に記載の発明によれば、請求項１ないし９のいずれかに記載の中味入り容器の製造方法において、更に、前記キャップの内面と前記口部の外面との間の隙間に存在する液体の層を前記隙間に圧縮空気を注入することにより排出する、ことを特徴とする中味入り容器の製造方法が提供される。
本願の請求項１１に記載の発明によれば、内部に中味液が充填され口部にキャップが装着された中味入り容器の洗浄方法において、
前記口部への装着前に前記キャップの内部を清浄な液体でぬらし、
前記内面がぬれた前記キャップを前記容器の口部に装着した後前記キャップと前記口部との間の隙間に洗浄液を注入する、
ことを特徴とする中味入り容器の洗浄方法が提供される。
本願の請求項１２に記載の発明によれば、請求項１１に記載の中味入り容器の洗浄方法により洗浄された中味入り容器が提供される。
【発明の効果】
【０００７】
請求項１に記載の発明によれば、キャップを容器の口部に装着する前にキャップの内側を予め清浄な液体でぬらしておくため、キャップ内面と口部の外面との間に液体の層が存在することになり、装着後の容器の移動による振動などにより緑茶、ジュース等の内容物の滴が容器の外に飛び跳ねても、容器口部の外周面にそのまま付着し難くなる。請求項２に記載の発明によれば、容器口部とキャップとの間に洗浄液を注入する際に、キャップ内面を清浄な液体で予めぬらしてあるため洗浄液の進入を促進し、洗浄効果を向上できることから、口部が洗浄されたキャップ付きの中味入り容器を製造できる。
更に、従来から使用されているスリット入りキャップを使用可能で、しかも従来から使用されている方法で洗浄液をキャップと容器口部との間に吹き込むことが可能で特別な設備を設ける必要なく安価にキャップ付きの中味入り容器を製造できる。
請求項６又は７に記載の発明によれば、従来から使用されている装置の一部の改良で洗浄方法を実施でき、安価にキャップ付きの中味入り容器を製造できる。
【発明を実施するための形態】
【０００８】
以下図面を参照して本発明の実施形態について説明する。
図３において、中に中味液が充填された容器の口部に装着されるキャップｃが部分断面で示されている。このキャップは従来使用されているものと同じ構造のものでよく、頂部（図３で上側）には天板ｂが、内面には、例えばペットボトルのような容器の図１に示される口部ｍに形成された雄ねじｔ１と螺合する雌ねじｔ２が、そして内面の開口部にはフィンｆが形成されている。キャップｃの周壁ｗには、天板ｂに近い位置において複数のスリットｓ１が、開口端に近い位置において複数のスリットｓ２が、それぞれ円周方向に隔ててかつ周壁の内外に貫通して形成されている。スリットｓ２はキャップ付き容器の開封時の破断用に設けられている。このキャップが装着される容器も従来の構造のものでよく、例えば、容器口部の基部に鍔状のネックサポート部ｑが形成されていてもよい。前記口部ｍに形成された雄ねじｔ１と前記雌ねじｔ２とを螺合した場合、キャップｃの下端とネックサポート部ｑの上面との間には隙間ｇ２が形成されるようになっている。
【０００９】
図４において、容器内への内容物、例えばお茶、ジュース等の飲料の充填から容器の口部へのキャップの装着及び充填済みの容器の殺菌洗浄を行うライン１の概略構成が示されている。このラインの作業を行う各装置の構成、機能は従来使用されているものと殆ど同じであるから、同じものについては、説明を簡素化するために装置名とその動作（又は機能）を述べるだけで詳細な説明は省略する。図４において、２は、ペットボトル、瓶等の容器内に所定量のジュース、お茶等の飲料であり得る中味液を充填するフィラーであって、容器を円形軌道に沿って移動させる間に容器の口部から容器内に中味液を充填する公知の構造のものである。３は、フィラー２によって中味液が充填された容器を円形軌道に沿って移動させる間にその容器の口部にキャップを装着するキャッパでこれも公知の構造のものである。４は、フィラー２によって中味液が充填された容器を位置Ａで受け取って位置Ｂにおいてキャっパ３に受け渡す転送装置である。５は、図示しないキャップ供給装置からキャップを受け取って位置Ｂとは円周方向に隔てられた位置Ｃにおいてキャッパに転送するキャップ搬送装置である。６は、キャッパによって口部にキャップが装着された容器を位置Ｄにおいてコンベヤ７に転送する転送装置である。
【００１０】
本発明においては、キャップ搬送装置５によってキャッパ３に搬送されたキャップｃの内面を純水、無菌水等の無菌で清浄な液体（以下清浄な液体とは無菌状態にある液体を言う）で予めぬらしておくようになっている。このため、キャッパ３のキャップ装着アタッチメント３１によってキャップｃが、図５に示されるように、開口部を下向きにして保持されて位置Ｃから位置Ｂ（図４）に搬送される移送経路の途中に清浄な液体を噴射する噴射装置３２を設けておき、この間で移動する間に、噴射装置でキャップの内部に無菌の液体Ｌを噴射する。位置Ｃと位置Ｂとの間ではキャップ装着アタッチメント３１の直下には容器（中味液が充填された）が送られて来ていないので、キャップ内面への液体の噴霧により液体の滴が下に落ちても問題はない。液体Ｌの吹きつけは、液体がキャップ内面全体に付着するように、液体を霧状にして行うのがよい。なお、液体の噴霧によりその液体が周囲に飛散しないようにガード等を設けることはもちろんである。また、キャップ装着アタッチメントは、例えば本出願人による出願に係る特開２００３−２４６３９４号に示されている公知の構造のものでよい。
【００１１】
キャップｃの内側に清浄な液体が吹き付けられ後、キャップはキャップ搬送装置によりキャッパーに送られる。清浄な液体が吹き付けられたキャップはそのキャップ装着アタッチメント３１により、公知の方法で容器の口部に装着される。したがって、キャップの装着が完了した時点でもキャップの内面（したがって、キャップｃの内面と口部ｂの外面との間）に液体の層が存在することになる。もしキャッパーによるキャップの装着工程中或いはその直前で容器の振動等により中味液が飛散して容器口部の外周に飛散したとしても、直接、容器口部の外周に付着することが防止される。たとえ付着して、半乾き状態になったとしても、その飛散し半乾き状態の中味液がキャップ内に付着した清浄な液体により再びぬらされ、或いは薄められて流れ易くなる。なお、隙間ｇ内の前記液体の層を、キャップに形成されたスリットｓ１又はスリットｓ２、或いはキャップｃの下端と口部のネックサポート部ｑとの間に形成された隙間ｇ２から清浄な圧縮空気を注入し、外部に排出してもよい。この場合飛散した中味液をより効果的に外部に排出することができる。このようにすることにより、後述する洗浄工程を省略可能である。
【００１２】
隙間ｇの洗浄を更に十分に行うには以下の洗浄工程を行う。
キャップが装着された容器はキャッパー３から転送装置６によってコンベア７に受け渡される。キャップが装着された容器は、コンベア７によりパストクーラー８に送られる。このパストクーラー８は、容器口部とキャップとの嵌合部を加熱殺菌、洗浄する装置で公知の構造のものである。このパストクーラーにおいて、キャップ付きの容器は立った状態で所定の経路に沿って搬送され、その間にキャップの外周には、図６に示されるように、噴射部８１によりキャップ付きの中味入り容器の上部から純水、無菌水のような無菌の洗浄液が吹き付けられる。なお、前記無菌の洗浄液は常温でもよく、或いは加熱されていてもよい。
キャップｃの周壁の天板側の位置には前述のように複数のスリットｓ１が円周方向に隔てて形成されているため、吹き付けられた洗浄液はスリットｓ１を通してキャップの内側の口部とキャップとの間の隙間ｇ内に入り込み、キャップの開口部（図で下側）から外に流出する。これによりキャップ内面に噴射された液体Ｌを用いて毛細管現象を利用して隙間ｇの洗浄を効果的に行うことができる。この場合、容器の口部外周のねじ山部分に前記特許文献２に示されるように、ベントスリットが形成されていれば、そのベントスリットを通して外部に排出するのでより効果的である。なお、キャップの天板と容器口部の開口端とは密着しているので、洗浄液が容器内に入ることはない。
【００１３】
なお、容器口部とキャップとの嵌合部が洗浄される限りにおいて、この加熱殺菌、洗浄の際に容器や中味液も加熱殺菌するパストライザーにより洗浄液を吹き付けてもよく、この場合、図７に示されるように洗浄液噴射部９１から吹き付けることにより、図７（Ａ）に示されるように、搬送される容器に装着されているキャップｃに形成されたスリットｓ１を介してや、図７（Ｂ）に示されるように、キャップｃに形成されたスリットｓ２を介してや、或いは、図７（Ｃ）に示されるように、キャップｃの下端とネックサポート部ｑとの間の隙間ｇ′を介して洗浄液を隙間ｇ内に注入させるようにしても構わない。
また、図６又は図７に示された方法で洗浄液を注入させた後で、キャップに形成されたスリットｓ１又はスリットｓ２、或いはキャップｃの下端と口部のネックサポート部ｑとの間に形成された隙間ｇ′から清浄な圧縮空気を注入し、隙間ｇ内に存在する洗浄液を外部に排出してもよい。
【００１４】
図８において、キャップ内面に無菌の液体を吹き付ける方法の変形例が示されている。この方法では、キャップ搬送装置５によってキャッパ３に搬送されるキャップｃの内面を純水のような無菌水等の無菌の清浄な液体で予めぬらしておくようになっている。このため、図７に示されるように、キャップ搬送装置５の搬送スター５１による搬送経路の途中で支持板５２に形成された切欠き部５３の位置に液体噴射位置に噴射ノズル５４を設けておきその噴射ノズルによりキャップが液体噴射位置に来たときに噴射ノズル５４によりキャップｃ内に清浄液を吹き付ける。
【産業上の利用可能性】
【００１５】
ペットボトル詰め飲料の製造に利用可能である。
【図面の簡単な説明】
【００１６】
【図１】（Ａ）は容器口部とその口部に装着されたキャップの一例を示す断面図であり、（Ｂ）は容器口部とその口部に装着されたキャップの別の例を示す部分断面図である。
【図２】容器口部に茶渋等の付着物が付いた状態を示す図である。
【図３】本発明の方法を実施する際に使用するキャップの例を示す部分断面図である。
【図４】本発明のキャップ付き容器の洗浄方法を実施するラインの概略説明図である。
【図５】（Ａ）はキャッパの概略側面図であり、（Ｂ）はキャッパのキャップ装着アタッチメントにより保持されているキャップに無菌液を噴霧する方法を示す図である。
【図６】パストクーラーの洗浄液噴射部により中味入り容器の上部から洗浄液を吹き付ける状態を示す図である。
【図７】（Ａ）ないし（Ｃ）はパストライザーにおいて行われる容器への洗浄液の噴射を示す図である。
【図８】キャップに無菌液を噴霧する別の方法を示す図であって、（Ａ）はキャップ搬送装置の搬送スターを示す部分平面図であり、（Ｂ）はその側面図である。
【符号の説明】
【００１７】
ｃ  キャップ                              ｂ  天板  
ｇ、ｇ２  隙間                            ｍ  口部  
ｑ  ネックサポート部                      ｓ１、ｓ２  スリット
ｖ  容器
１  キャップ付き容器の製造ライン          
２  フィラー                              ３  キャッパ                              
４、６  転送装置                          ５  キャップ搬送装置                      
３１  キャップ装着アタッチメント          ３２  液体噴射装置                        
【図１】
2007191184.tif 000003
【図２】
2007191184.tif 000004
【図３】
2007191184.tif 000005
【図４】
2007191184.tif 000006
【図５】
2007191184.tif 000007
【図６】
2007191184.tif 000008
【図７】
2007191184.tif 000009
【図８】
2007191184.tif 000010
【手続補正書】
【提出日】平成18年9月13日(2006.9.13)
【手続補正１】
【補正対象書類名】特許請求の範囲
【補正対象項目名】全文
【補正方法】変更
【補正の内容】
【特許請求の範囲】
【請求項１】
内部に中味液が充填され口部にキャップが装着された中味入り容器の製造方法において、
前記口部への装着前に前記キャップの内部を清浄な液体でぬらし、
前記内面がぬれた前記キャップを前記容器の口部に装着する、
ことを特徴とする中味入り容器の製造方法。
【請求項２】
内部に中味液が充填され口部にキャップが装着された中味入り容器の製造方法において、
前記口部への装着前に前記キャップの内部を清浄な液体でぬらし、
前記内面がぬれた前記キャップを前記容器の口部に装着した後前記キャップと前記口部との間の隙間に洗浄液を注入する、
ことを特徴とする中味入り容器の製造方法。
【請求項３】
請求項２に記載の中味液入り容器の製造方法において、
前記口部と前記キャップとの間の隙間への洗浄液の注入を前記キャップの頂部近傍に形成されたスリットを介して洗浄液を注入する、
ことを特徴とする中味入り容器の製造方法。
【請求項４】
請求項２に記載の中味液入り容器の製造方法において、
前記口部と前記キャップとの間の隙間への洗浄液の注入を前記キャップの開口端に近い位置に形成されたスリットを介して行う、
ことを特徴とする中味入り容器の製造方法。
【請求項５】
請求項２に記載の中味液入り容器の製造方法において、
前記口部と前記キャップとの間の隙間への洗浄液の注入を前記キャップの下端と前記口部のネックサポート部の上面との間に形成される隙間を介して行う、
ことを特徴とする中味入り容器の製造方法。
【請求項６】
請求項１ないし５のいずれかに記載の中味入り容器の製造方法において、前記キャップの装着完了時点で前記キャップと口部との間に前記清浄な液体を存在させることを特徴とする中味入り容器の製造方法。
【請求項７】
請求項６に記載の中味入り容器の製造方法において、前記清浄な液体をキャップの外部に排出可能であることを特徴とする中味入り容器の製造方法。
【請求項８】
請求項１ないし７のいずれかに記載の中味入り容器の製造方法において、
前記キャップ内面を清浄な液体でぬらすことを、キャップがキャッパーのキャップ装着アタッチメントにより保持されている間にキャップ内面に清浄な液体を噴霧することにより行うことを特徴とする中味入り容器の製造方法。
【請求項９】
請求項１ないし７のいずれかに記載の中味入り容器の製造方法において、前記キャップ内面を清浄な液体でぬらすことを、キャップがキャッパーに供給される前にキャップ内面に清浄な液体を噴霧することにより行う、ことを特徴とする中味入り容器の製造方法。
【請求項１０】
請求項１ないし９のいずれかに記載の中味入り容器の製造方法において、前記清浄な液体が無菌水である中味入り容器の製造方法。
【請求項１１】
請求項１ないし１０のいずれかに記載の中味入り容器の製造方法において、前記清浄な液体が加熱されていることを特徴とする中味入り容器の製造方法。
【請求項１２】
請求項１ないし１１のいずれかに記載の中味入り容器の製造方法において、更に、
前記キャップの内面と前記口部の外面との間の隙間に存在する液体を前記隙間に圧縮空気を注入することにより排出する、
ことを特徴とする中味入り容器の製造方法。
【請求項１３】
内部に中味液が充填され口部にキャップが装着された中味入り容器の洗浄方法において、
前記口部への装着前に前記キャップの内部を清浄な液体でぬらし、
前記内面がぬれた前記キャップを前記容器の口部に装着した後前記キャップと前記口部との間の隙間に洗浄液を注入する、
ことを特徴とする中味入り容器の洗浄方法。
【請求項１４】
請求項１３に記載の中味入り容器の洗浄方法により洗浄された中味入り容器。
【手続補正２】
【補正対象書類名】明細書
【補正対象項目名】０００６
【補正方法】変更
【補正の内容】
【０００６】
本願の請求項１に記載の発明によれば、内部に中味液が充填され口部にキャップが装着された中味入り容器の製造方法において、
前記口部への装着前に前記キャップの内部を清浄な液体でぬらし、
前記内面がぬれた前記キャップを前記容器の口部に装着する、ことを特徴とする中味入り容器の製造方法が提供される。
本願の請求項２に記載の発明によれば、内部に中味液が充填され口部にキャップが装着された中味入り容器の製造方法において、
前記口部への装着前に前記キャップの内部を清浄な液体でぬらし、
前記内面がぬれた前記キャップを前記容器の口部に装着した後前記キャップと前記口部との間の隙間に洗浄液を注入する、ことを特徴とする中味入り容器の製造方法が提供される。
本願の請求項３に記載の発明によれば、請求項２に記載の中味液入り容器の製造方法において、前記口部と前記キャップとの間の隙間への洗浄液の注入を前記キャップの頂部近傍に周方向に隔てて形成されたスリットを介して洗浄液を注入する、ことを特徴とする中味入り容器の製造方法が提供される。
本願の請求項４に記載の発明によれば、請求項２に記載の中味液入り容器の製造方法において、前記口部と前記キャップとの間の隙間への洗浄液の注入を前記キャップの開口端に近い位置に形成されたスリットを介して行う、ことを特徴とする中味入り容器の製造方法が提供される。
本願の請求項５に記載の発明によれば、請求項２に記載の中味液入り容器の製造方法において、前記口部と前記キャップとの間の隙間への洗浄液の注入を前記キャップの下端と前記口部のネックサポート部の上面との間に形成される隙間を介して行う、ことを特徴とする中味入り容器の製造方法が提供される。
本願の請求項６に記載の発明によれば、請求項１ないし５のいずれかに記載の中味入り容器の製造方法において、前記キャップの装着完了時点で前記キャップと口部との間に前記清浄な液体を存在させることを特徴とする中味入り容器の製造方法が提供される。
本願の請求項７に記載の発明によれば、請求項６に記載の中味入り容器の製造方法において、前記清浄な液体をキャップの外部に排出可能であることを特徴とする中味入り容器の製造方法が提供される。
本願の請求項８に記載の発明によれば、請求項１ないし７のいずれかに記載の中味入り容器の製造方法において、前記キャップ内面を清浄な液体でぬらすことを、キャップがキャッパーのキャップ装着アタッチメントにより保持されている間にキャップ内面に清浄な液体を噴霧することにより行うことを特徴とする中味入り容器の製造方法が提供される。
本願の請求項９に記載の発明によれば、請求項１ないし８のいずれかに記載の中味入り容器の製造方法において、前記キャップ内面を清浄な液体でぬらすことを、キャップがキャッパーに供給される前にキャップ内面に清浄な液体を噴霧することにより行う、ことを特徴とする中味入り容器の製造方法が提供される。
本願の請求項１０に記載の発明によれば、請求項１ないし９のいずれかに記載の中味入り容器の製造方法において、前記清浄な液体が無菌水である中味入り容器の製造方法が提供される。
本願の請求項１１に記載の発明によれば、請求項１ないし１０のいずれかに記載の中味入り容器の製造方法において、前記清浄な液体が加熱されていることを特徴とする中味入り容器の製造方法が提供される。
本願の請求項１２に記載の発明によれば、請求項１ないし１１のいずれかに記載の中味入り容器の製造方法において、更に、前記キャップの内面と前記口部の外面との間の隙間に存在する液体の層を前記隙間に圧縮空気を注入することにより排出する、ことを特徴とする中味入り容器の製造方法が提供される。
本願の請求項１３に記載の発明によれば、内部に中味液が充填され口部にキャップが装着された中味入り容器の洗浄方法において、
前記口部への装着前に前記キャップの内部を清浄な液体でぬらし、
前記内面がぬれた前記キャップを前記容器の口部に装着した後前記キャップと前記口部との間の隙間に洗浄液を注入する、
ことを特徴とする中味入り容器の洗浄方法が提供される。
本願の請求項１４に記載の発明によれば、請求項１３に記載の中味入り容器の洗浄方法により洗浄された中味入り容器が提供される。
【手続補正書】
【提出日】平成19年1月11日(2007.1.11)
【手続補正１】
【補正対象書類名】特許請求の範囲
【補正対象項目名】全文
【補正方法】変更
【補正の内容】
【特許請求の範囲】
【請求項１】
内部に中味液が充填され口部にキャップが装着された中味入り容器の製造方法において、
前記口部への装着前に前記キャップの内部を清浄な液体でぬらし、
前記内面がぬれた前記キャップを前記容器の口部に装着した後前記キャップと前記口部との間の隙間に洗浄液を注入する、
ことを特徴とする中味入り容器の製造方法。
【請求項２】
請求項１に記載の中味液入り容器の製造方法において、
前記口部と前記キャップとの間の隙間への洗浄液の注入を前記キャップの頂部近傍に形成されたスリットを介して洗浄液を注入する、
ことを特徴とする中味入り容器の製造方法。
【請求項３】
請求項１に記載の中味液入り容器の製造方法において、
前記口部と前記キャップとの間の隙間への洗浄液の注入を前記キャップの開口端に近い位置に形成されたスリットを介して行う、
ことを特徴とする中味入り容器の製造方法。
【請求項４】
請求項１に記載の中味液入り容器の製造方法において、
前記口部と前記キャップとの間の隙間への洗浄液の注入を前記キャップの下端と前記口部のネックサポート部の上面との間に形成される隙間を介して行う、
ことを特徴とする中味入り容器の製造方法。
【請求項５】
請求項１ないし４のいずれかに記載の中味入り容器の製造方法において、前記キャップの装着完了時点で前記キャップと口部との間に前記清浄な液体を存在させることを特徴とする中味入り容器の製造方法。
【請求項６】
請求項５に記載の中味入り容器の製造方法において、前記清浄な液体をキャップの外部に排出可能であることを特徴とする中味入り容器の製造方法。
【請求項７】
請求項１ないし６のいずれかに記載の中味入り容器の製造方法において、
前記キャップ内面を清浄な液体でぬらすことを、キャップがキャッパーのキャップ装着アタッチメントにより保持されている間にキャップ内面に清浄な液体を噴霧することにより行うことを特徴とする中味入り容器の製造方法。
【請求項８】
請求項１ないし６のいずれかに記載の中味入り容器の製造方法において、前記キャップ内面を清浄な液体でぬらすことを、キャップがキャッパーに供給される前にキャップ内面に清浄な液体を噴霧することにより行う、ことを特徴とする中味入り容器の製造方法。
【請求項９】
請求項１ないし８のいずれかに記載の中味入り容器の製造方法において、前記清浄な液体が無菌水である中味入り容器の製造方法。
【請求項１０】
請求項１ないし９のいずれかに記載の中味入り容器の製造方法において、前記清浄な液体が加熱されていることを特徴とする中味入り容器の製造方法。
【請求項１１】
請求項１ないし１０のいずれかに記載の中味入り容器の製造方法において、更に、
前記キャップの内面と前記口部の外面との間の隙間に存在する液体を前記隙間に圧縮空気を注入することにより排出する、
ことを特徴とする中味入り容器の製造方法。
【請求項１２】
内部に中味液が充填され口部にキャップが装着された中味入り容器の洗浄方法において、
前記口部への装着前に前記キャップの内部を清浄な液体でぬらし、
前記内面がぬれた前記キャップを前記容器の口部に装着した後前記キャップと前記口部との間の隙間に洗浄液を注入する、
ことを特徴とする中味入り容器の洗浄方法。
【請求項１３】
請求項１２に記載の中味入り容器の洗浄方法により洗浄された中味入り容器。
【手続補正２】
【補正対象書類名】明細書
【補正対象項目名】０００６
【補正方法】変更
【補正の内容】
【０００６】
本願の請求項１に記載の発明によれば、内部に中味液が充填され口部にキャップが装着された中味入り容器の製造方法において、
前記口部への装着前に前記キャップの内部を清浄な液体でぬらし、
前記内面がぬれた前記キャップを前記容器の口部に装着した後前記キャップと前記口部との間の隙間に洗浄液を注入する、ことを特徴とする中味入り容器の製造方法が提供される。
本願の請求項２に記載の発明によれば、請求項１に記載の中味液入り容器の製造方法において、前記口部と前記キャップとの間の隙間への洗浄液の注入を前記キャップの頂部近傍に周方向に隔てて形成されたスリットを介して洗浄液を注入する、ことを特徴とする中味入り容器の製造方法が提供される。
本願の請求項３に記載の発明によれば、請求項１に記載の中味液入り容器の製造方法において、前記口部と前記キャップとの間の隙間への洗浄液の注入を前記キャップの開口端に近い位置に形成されたスリットを介して行う、ことを特徴とする中味入り容器の製造方法が提供される。
本願の請求項４に記載の発明によれば、請求項１に記載の中味液入り容器の製造方法において、前記口部と前記キャップとの間の隙間への洗浄液の注入を前記キャップの下端と前記口部のネックサポート部の上面との間に形成される隙間を介して行う、ことを特徴とする中味入り容器の製造方法が提供される。
本願の請求項５に記載の発明によれば、請求項１ないし４のいずれかに記載の中味入り容器の製造方法において、前記キャップの装着完了時点で前記キャップと口部との間に前記清浄な液体を存在させることを特徴とする中味入り容器の製造方法が提供される。
本願の請求項６に記載の発明によれば、請求項５に記載の中味入り容器の製造方法において、前記清浄な液体をキャップの外部に排出可能であることを特徴とする中味入り容器の製造方法が提供される。
本願の請求項７に記載の発明によれば、請求項１ないし６のいずれかに記載の中味入り容器の製造方法において、前記キャップ内面を清浄な液体でぬらすことを、キャップがキャッパーのキャップ装着アタッチメントにより保持されている間にキャップ内面に清浄な液体を噴霧することにより行うことを特徴とする中味入り容器の製造方法が提供される。
本願の請求項８に記載の発明によれば、請求項１ないし７のいずれかに記載の中味入り容器の製造方法において、前記キャップ内面を清浄な液体でぬらすことを、キャップがキャッパーに供給される前にキャップ内面に清浄な液体を噴霧することにより行う、ことを特徴とする中味入り容器の製造方法が提供される。
本願の請求項９に記載の発明によれば、請求項１ないし８のいずれかに記載の中味入り容器の製造方法において、前記清浄な液体が無菌水である中味入り容器の製造方法が提供される。
本願の請求項１０に記載の発明によれば、請求項１ないし９のいずれかに記載の中味入り容器の製造方法において、前記清浄な液体が加熱されていることを特徴とする中味入り容器の製造方法が提供される。
本願の請求項１１に記載の発明によれば、請求項１ないし１０のいずれかに記載の中味入り容器の製造方法において、更に、前記キャップの内面と前記口部の外面との間の隙間に存在する液体の層を前記隙間に圧縮空気を注入することにより排出する、ことを特徴とする中味入り容器の製造方法が提供される。
本願の請求項１２に記載の発明によれば、内部に中味液が充填され口部にキャップが装着された中味入り容器の洗浄方法において、
前記口部への装着前に前記キャップの内部を清浄な液体でぬらし、
前記内面がぬれた前記キャップを前記容器の口部に装着した後前記キャップと前記口部との間の隙間に洗浄液を注入する、
ことを特徴とする中味入り容器の洗浄方法が提供される。
本願の請求項１３に記載の発明によれば、請求項１２に記載の中味入り容器の洗浄方法により洗浄された中味入り容器が提供される。
【手続補正３】
【補正対象書類名】明細書
【補正対象項目名】０００７
【補正方法】変更
【補正の内容】
【０００７】
請求項１に記載の発明によれば、キャップを容器の口部に装着する前にキャップの内側を予め清浄な液体でぬらしておくため、キャップ内面と口部の外面との間に液体の層が存在することになり、装着後の容器の移動による振動などにより緑茶、ジュース等の内容物の滴が容器の外に飛び跳ねても、容器口部の外周面にそのまま付着し難くなるだけでなく、容器口部とキャップとの間に洗浄液を注入する際に、キャップ内面を清浄な液体で予めぬらしてあるため洗浄液の進入を促進し、洗浄効果を向上できることから、口部が洗浄されたキャップ付きの中味入り容器を製造できる。しかも、従来から使用されているスリット入りキャップを使用可能で、従来から使用されている方法で洗浄液をキャップと容器口部との間に吹き込むことにより特別な設備を設ける必要なく安価にキャップ付きの中味入り容器を製造できる。
請求項７又は８に記載の発明によれば、従来から使用されている装置の一部の改良で洗浄方法を実施でき、安価にキャップ付きの中味入り容器を製造できる。